(57)【特許請求の範囲】
【請求項１】
機器の運転状態を検出する信号が接点入力される複数個のリレーを備え、
前記複数個のリレーには、複数個の切換接点を使用し、
Ｍ個の接点入力のうちＯＮとなる接点数がＮ個となる条件を検出した場合に出力する条件判別回路であって、
前記複数個の切換接点を、接点入力数に対応してＭ個直列に、判別接点数に対応してＮ＋１個並列に接続して、Ｍ段・Ｎ＋１列のマトリックス状の切換接点群を形成し、
前記マトリックスを構成する第ｎ列目の切換接点中のＭ＋１−（Ｎ−ｎ）段目以上の段に属する切換接点と、同じく第ｎ列目の切換接点中のｎ−１段目以下の段に属する切換接点と、を上記条件検出に不要な切換接点として、前記マトリックス状の切換接点群から排除してなり、
前記マトリックスの第Ｎ＋１列目の切換接点のブレーク接点には、出力端子が接続されてなることを特徴とする条件判別回路。
【請求項２】
機器の運転状態を検出する信号が接点入力される複数個のリレーを備え、
前記複数個のリレーには、複数個の切換接点を使用し、
Ｍ個の接点入力のうちＯＮとなる接点数がＮ個以上となる条件を検出した場合に出力する条件判別回路であって、
前記複数個の切換接点を、接点入力数に対応してＭ個直列に、判別接点数に対応してＮ＋１個並列に接続して、Ｍ段・Ｎ＋１列のマトリックス状の切換接点群を形成し、
前記マトリックスを構成する第ｎ列目の切換接点中のＭ＋１−（Ｎ−ｎ）段目以上の段に属する切換接点と、同じく第ｎ列目の切換接点中のｎ−１段目以下の段に属する切換接点と、を上記条件検出に不要な切換接点として、前記マトリックス状の切換接点群から排除し、
前記マトリックスを構成する第Ｎ＋１列目の切換接点のメイク及びブレーク接点に出力端子が接続されてなることを特徴とする条件判別回路。
【請求項３】
機器の運転状態を検出する信号が接点入力される複数個のリレーを備え、
前記複数個のリレーには、複数個の切換接点を使用し、
Ｍ個の接点入力のうちＯＮとなる接点数が最大値Ｎ個、最小値Ｎ´個を含む複数の特定値となる条件を検出した場合に出力する条件判別回路であって、
前記複数個の切換接点を、接点入力数に対応してＭ個直列に、判別接点数に対応してＮ＋１個並列に接続して、Ｍ段・Ｎ＋１列のマトリックス状の切換接点群を形成し、
前記マトリックスを構成する第ｎ列目の切換接点中のＭ＋１−（Ｎ´−ｎ）段目以上の段に属する切換接点と、同じく第ｎ列目の切換接点中のｎ−１段目以下の段に属する切換接点と、を上記条件検出に不要な切換接点として、前記マトリックス状の切換接点群から排除してなり、
前記マトリックスの第Ｎ＋１列目の切換接点のブレーク接点には、出力端子が接続されてなることを特徴とする条件判別回路。
【請求項４】
機器の運転状態を検出する信号が接点入力される複数個のリレーを備え、
前記複数個のリレーには、複数個の切換接点を使用し、
Ｍ個の接点入力のうちＯＮとなる接点数がＮ個以下となる条件を検出した場合に出力する条件判別回路であって、
前記複数個の切換接点を、接点入力数に対応してＭ個直列に、判別接点数に対応してＮ＋１個並列に接続して、Ｍ段・Ｎ＋１列のマトリックス状の切換接点群を形成し、
前記マトリックスを構成する第ｎ列目の切換接点中のｎ−１段目以下の段に属する切換接点を上記条件検出に不要な切換接点として、前記マトリックス状の切換接点群から排除してなり、
前記マトリックスの第Ｎ＋１列目の切換接点のブレーク接点には、出力端子が接続されてなることを特徴とする条件判別回路。
【請求項５】
機器の運転状態を検出する信号が接点入力される複数個のリレーを備え、
前記複数個のリレーには、複数個の切換接点を使用し、
Ｍ個の接点入力のうちＯＮとなる接点数がＮ個以下のいずれか、またはＮ個より大きくなる条件を検出するにあたり、
前記複数個の切換接点を、接点入力数に対応してＭ個直列に、判別接点数に対応してＮ＋１個並列に接続して、Ｍ段・Ｎ＋１列のマトリックス状の切換接点群を形成し、これらの切換接点群中から条件検出に不要な切換接点を排除してなる条件判別回路であって、
前記不要な切換接点は、前記マトリックスを構成する第ｎ列目の切換接点中のｎ−１段目以下の段に属する切換接点であり、
前記マトリックスを構成する第Ｎ＋１列までの各々列の切換接点のブレーク接点、及び第Ｎ＋１列の切換接点のメイク接点に出力端子がそれぞれ接続されてなることを特徴とする条件判別回路。
【発明の詳細な説明】
【技術分野】
【０００１】
本発明は、変電所・開閉所等で用いられる変電機器を監視・制御する回路を備えた現場制御盤に係り、安価で信頼性の高い現場制御盤を提供するための回路の改良に関する。
【背景技術】
【０００２】
現代社会において電力需要は増加傾向にあり、電力の安定供給の必要性は今後さらに増大すると予想される。ここで、電力供給を行う送電系統には通常変電設備を用いているが、障害が発生した際は電力供給に対する影響は非常に大きなものとなるため、この変電設備の信頼性を向上させることは不可欠である。
【０００３】
このような変電設備の従来例について、図１０及び１１を参照して以下に説明する。変電設備は通常、複数の変電機器と制御システムから構成され、このうち変電機器は、開閉装置や変圧器などを主要機器としているが、ここでは開閉装置の主流を占めるガス絶縁開閉装置（ＧＡＳ  ＩＮＳＵＬＡＴＥＤ  ＳＷＩＴＣＨＧＥＡＲ、以下ＧＩＳと呼ぶ）を採用したケースを説明する。
【０００４】
図１０は、このようなＧＩＳの一例を示す単線結線図である。ＧＩＳは、開閉器や導体等の高電圧充電媒体と共に接地金属容器内に収納してなる装置であり、当該図１０に示す通り、遮断器２、断路器３、接地開閉器４の機器及び主母線５等から構成されている。また、ＧＩＳの近傍には、制御システムであるＧＩＳ制御盤１が回線毎に設置され、このＧＩＳ制御盤１には、ＧＩＳを構成する遮断器２、断路器３、接地開閉器４等の複数機器を制御する回路と、ＧＩＳのガス密度や各機器の状態を監視する回路が配設されている。
【０００５】
なお、上記ＧＩＳ制御盤１では、機器の動作の可否を判定するために、他の変電機器の入／切状態及びガス密度の状態をインターロック回路として構成している。ここで、機器のインターロック条件は、事故の未然防止を目的とするものと変電所の運用基準により設けられるものとがあるが、後者の場合は、運転状態にある主変圧器や発電機の所定個数を条件として遮断器の投入操作をロックしている。
【０００６】
このような、運転状態にある主変圧器や発電機の所定個数に応じて遮断器の投入操作をロックする制御回路を構成するためには、機器状態を検出する信号接点とリレー類の接点を用いるのが一般的である。具体的には、主変圧器や発電機が運転状態にあるときにＯＮ状態となる信号接点をＧＩＳ制御盤１に取込み、複数個のリレーを用いてこれらの信号を接点増幅し、主変圧器や発電機の運転台数が特定の値のときに出力がＯＮとなる条件判別回路が設けられている。
【０００７】
図１１に上記条件判別回路の実施例を示す。この図１１の通り、条件判別回路は、複数個（５個）の機器の状態を検出する複数個の機器状態接点１１と、当該機器状態接点１１が接続する複数個の中継リレー１２から構成されている。
【０００８】
各中継リレー１２は、記号Ｘ１〜Ｘ５を付けて区別され、これらの中継リレー１２の接点１３、１４の組合せにより機器の運転状態数を判別する回路を構成する。接点１３はａ接点であり、中継リレー１２のコイルが無励磁状態で開路、励磁状態で閉路となる接点である。一方、接点１４はｂ接点であり、中継リレー１２のコイルが無励磁状態で閉路、励磁状態で開路となる接点である。
【０００９】
なお、図１１では、機器の数が５個の場合において、このうちのいずれか３個の機器が運転状態にあることを検出する回路例を示しており、３個が運転状態のときの全ての組合せを接点１３、１４で模擬し、いずれかの組合せが成立した際に出力端子１５、１６間がＯＮとなるように構成されている。
【００１０】
また、特許文献１には、変電機器の制御及び監視を行う制御盤において、各変電機器の開閉状態信号を増幅リレーで中継し、この増幅リレーの接点を各変電機器のインターロック条件に従って接続して機器毎の開閉可能条件を判別する制御回路が示されている。そして、特許文献２には、変電機器の制御及び監視を行う制御システムに設けた開閉装置制御ボード上にインターロック回路を配設した回路が示されており、各変電機器の開閉状態信号として補助スイッチ信号を当該開閉装置制御ボードに取り込んで、この信号により各変電機器のインターロック条件を満足するかどうかを判別している。
【特許文献１】特開２００２−１７１６１６号公報
【特許文献２】特開平１０−１３６５１９号公報
【発明の開示】
【発明が解決しようとする課題】
【００１１】
ところで、従来技術である上記ＧＩＳ制御盤１内に配設された制御回路には、機器状態の組合せを全て中継リレー１２の接点１３、１４で模擬しているため、非常に多くの接点数が必要になるといった問題が生じる。例えば、機器が５個の場合の５つの接点入力のうち、３個がＯＮとなる組合せの数は、５Ｃ３＝１０通りあるため、必要な接点数は、１つの組み合わせには５個の接点が必要であるから、５×１０＝５０個となる。
【００１２】
また、さらに機器数が増えた場合であれば、例えば１０個の接点入力があり、そのうち３個がＯＮとなるケースを考えると、１０個の接点入力のうちの３個がＯＮとなる組合せの数は、１０Ｃ３＝１２０通りあるため、必要な接点数は、１０×１２０＝１２００個となる。
【００１３】
つまり、Ｍ個の接点入力のうちＮ個がＯＮとなる場合の必要な接点数Ｘは、以下の式で表すことができる。
【００１４】
［数１］
ＭＣＮ＝Ｍ！／（（Ｍ−Ｎ）！×Ｎ！）
Ｘ＝Ｍ×ＭＣＮ
【００１５】
なお、回路の共通部分をまとめる等することで必要な接点数を多少削減することは可能であるが、対象機器の数が増えると接点数は急増してしまうため、コスト増加や信頼性の低下が問題となっていた。対象機器数が多い場合には、シーケンサを適用して演算処理することにより信頼性を維持する方法も考えられるが、コスト増加を免れることはできないでいた。
【００１６】
また、前記特許文献１及び２においても、変電機器の開閉状態信号をリレーで中継する場合、当該信号の増加に伴いリレー接点は上記のように増加するため、回路作成費用が高価となることや信頼性の低下が問題となっていた。
【００１７】
本発明は、上記のような課題を解消するために提案されたものであって、その目的は、変電機器用制御盤内に配設する回路として、安価で信頼性の高い条件判別回路を提供することにある。
【課題を解決するための手段】
【００１８】
上述した目的を達成するために、本発明は、機器の運転状態を検出する信号が接点入力される複数個のリレーを備え、前記複数個のリレーには、複数個の切換接点を使用し、Ｍ個の接点入力のうちＯＮとなる接点数がＮ個となる条件を検出した場合に出力する条件判別回路であって、前記複数個の切換接点を、接点入力数に対応してＭ個直列に、判別接点数に対応してＮ＋１個並列に接続して、Ｍ段・Ｎ＋１列のマトリックス状の切換接点群を形成し、前記マトリックスを構成する第ｎ列目の切換接点中のＭ＋１−（Ｎ−ｎ）段目以上の段に属する切換接点と、同じく第ｎ列目の切換接点中のｎ−１段目以下の段に属する切換接点と、を上記条件検出に不要な切換接点として、前記マトリックス状の切換接点群から排除してなり、前記マトリックスの第Ｎ＋１列目の切換接点のブレーク接点には、出力端子が接続されてなることを特徴とする。
【００１９】
また、Ｍ個の接点入力のうちＯＮとなる接点数がＮ個以上となる条件を検出した場合に出力する条件判別回路では、上記Ｍ段・Ｎ＋１列のマトリックスを構成する第Ｎ＋１列目の切換接点のメイク及びブレーク接点に出力端子が接続されている点も本発明の一態様である。
【００２０】
なお、Ｍ個の接点入力のうちＯＮとなる接点数が最大値Ｎ個、最小値Ｎ´個を含む複数の特定値となる条件を検出した場合に出力する条件判別回路にあっては、上記マトリックス状の切換接点群から、マトリックスを構成する第ｎ列目の切換接点中のＭ＋１−（Ｎ´−ｎ）段目以上の段に属する切換接点と、同じく第ｎ列目の切換接点中のｎ−１段目以下の段に属する切換接点と、を上記条件検出に不要な切換接点として排除してなる点も本発明の一態様である。
【発明の効果】
【００２１】
以上のような本発明によれば、切換接点を所定の条件に基づき組み合わせることで制御盤内の条件判別回路を構成しているので、機器数が増加した場合であっても、従来のリレー接点を用いた場合より格段に接点数が減少し、安価で信頼性の高い条件判別回路を提供することが可能となる。
【発明を実施するための最良の形態】
【００２２】
[１．第１の実施形態]
[１．１．構成]
次に、第１の実施形態に係る変電機器用制御盤内に搭載する条件判別回路の構成について、図１を参照して以下に説明する。また、従来技術である図１０及び１１に記載の回路と同一の部材に関しては同一符号を付し、説明は省略する。なお、第１の実施形態は、複数あるＭ個の接点入力のうち、ＯＮとなる接点数が特定値であるＮ個になるときに出力端子をＯＮとする条件判別回路に関するものである。
【００２３】
図１の通り、本実施形態に係る条件判別回路には、図１０及び１１に記載の従来技術と同様に機器の状態を検出する複数個の機器状態接点１１と、当該機器状態接点１１が接続される複数個の中継リレー１７が設けられている。なお、図１の回路例では、機器の数が５個で、このうちのいずれか３個の機器が運転状態（ＯＮ状態）であることを検出する場合を想定している。
【００２４】
すなわち、５個の機器状態接点１１と、それぞれの機器状態接点１１に対応するように５個の中継リレー１７であるＸ１、Ｘ２、…、Ｘ５が接続されている。そのため、５個の中継リレー１７の接点入力のうち、３個の接点がＯＮした場合のみ、出力端子１９、２０間がＯＮとなる。
【００２５】
ここで、各中継リレー１７に関して、従来技術ではａ接点、ｂ接点から構成されていたのに対し、本実施形態では複数個の切換接点１８を所定条件の下で配設することにより構成している。なお、切換接点１８は、中継リレー１７のコイルが無励磁状態で開路、励磁状態で閉路となるａ接点（メイク接点）と、当該コイルが無励磁状態で閉路、励磁状態で開路となるｂ接点（ブレーク接点）の出力を対で備えているものである。
【００２６】
この切換接点１８が中継リレー１７に配設される所定条件とは、配設された中継リレー１７の数に対応する接点入力をＭ個、そのうちＯＮとなる接点数である特定値をＮ個とした場合に、下記のように表すことができる。具体的には、切換接点１８を中継リレー１７の接点入力数に応じてＭ個直列に、ＯＮとなる接点数に応じてＮ＋１個並列に接続することにより、Ｍ段・Ｎ＋１列のマトリックス状の切換接点群を形成し、この切換接点群から下記の関係式に基づいて算出された不要な切換接点１８を排除することで、所定数の切換接点１８を備えたＭ個の中継リレー１７からなる条件判別回路が構成される。
【００２７】
なお、上記のように、Ｍ段とは、中継リレー１７の数に対応した接点入力の数を示し、Ｎ＋１列とは、切換接点１８がＯＮとなると電流ルートが右方に推移するため、ＯＮとなる接点数に応じた電流ルートを示している。このＭ段・Ｎ＋１列の切換接点群から排除する切換接点１８を示す関係式は、電流ルートの推移列であるｎ列目に対して、以下のように表すことができる。
【００２８】
［数２］
Ｍ＋１−（Ｎ−ｎ）段目以上の段に属する切換接点  ∧  ｎ−１段目以下の段に属する切換接点
ここで、１≦ｎ≦Ｎ＋１
１≦Ｍ
０≦Ｎ
【００２９】
なお、上記［数２］より示される排除すべき切換接点１８は、ｎ列目に対するものであるため、１列目からＮ＋１列目までの排除すべき接点総数は、ｎに１〜Ｎ＋１を代入することで算出した各列毎の接点数の総和により表すことができる。
【００３０】
上記［数２］を用いて、例えば、５個の中継リレー対応する接点入力が５個、ＯＮとなる接点数が３個の条件下で必要な切換接点１８を算出する場合は、まず、この［数２］にＭ＝５、Ｎ＝３、ｎ＝１〜４を代入することで１〜４列毎の排除すべき接点数を算出する。そして、算出した接点数を各列に対応させ、５段・４列で２０個の接点数を有する切換接点群から排除することで、図１のような、条件判別回路が構成される。
【００３１】
具体的には、１列目を例にとると、５段それぞれに配設された総数５個の切換接点１８のうちから、上記［数２］に基づき算出した４段目以上の切換接点（Ｍ＋１−（Ｎ−ｎ）にＭ＝５、Ｎ＝３、ｎ＝１を代入）と、０段目以下の切換接点（ｎ−１にｎ＝１を代入）を、排除することにより、１〜３段目にそれぞれ配設される総数３個の切換接点を導き出すことができる。２〜４列目に配設される切換接点１８も上記と同様に算出すると、２列目では２〜４段目の３個、３列目では３〜５段目の３個、４列目では４、５段目の２個の切換接点１８が導き出せる。
【００３２】
つまり、接点入力が５個、そのうちＯＮとなる３個の接点数を検出する条件判別回路には、総数１１個（１〜４列目の各切換接点数の和）の切換接点１８が図１のような配置に基づき設けられることになる。また、各中継リレー１７毎に配設される切換接点１８数を示せば、一つ目の中継リレーＸ１に１個、二つ目の中継リレーＸ２に２個、３つ目の中継リレーＸ３に３個、４つ目の中継リレーＸ４に３個、５つ目の中継リレーＸ５に２個となる。
【００３３】
なお、図１において、出力端子１９は切換接点１８の１列目に接続され、出力端子２０は、切換接点１８の最も右側の列である４列目に接続されている。接点入力数、及びＯＮとなる接点数を上記の個数に限定しない場合であっても、本実施形態では、出力端子１９は１列目に、出力端子２０は最も右側の列に接続される。
【００３４】
また、図１では、５個の接点入力のうち、ＯＮとなる３個の接点数を検出する場合の回路例を示しているが、図２では、接点入力Ｍが１〜７個、ＯＮとなる接点数Ｎが１〜７個の条件下で、Ｍ段・Ｎ＋１列の切換接点群から上記［数２］に基づき算出された接点数を排除することにより求めた条件判別回路の切換接点１８の配置例が示されている。
【００３５】
さらに、図３には、図２の切換接点１８の配置構成を有する条件判別回路において、必要な接点総数が従来技術と比較した態様で提示されている。例えば、接点入力が５個で、そのうちＯＮとなる３個の接点数を検出する条件判別回路の場合には、従来技術では必要な接点総数が５０個であるのに対し、本実施形態では上述した通り、１１個で足りる構成となっている。
【００３６】
［１．２．作用］
次に、上述した、５個の接点入力のうちＯＮとなる接点数が３個になる場合に出力端子をＯＮとする条件判別回路の構成を有する第１の実施形態に係る作用を図４を参照して以下に説明する。なお、図４（ａ）〜（ｄ）は、図１に記載の回路動作を詳細に示すための回路図であり、各中継リレー１７がＯＮすることにより電流ルートが推移する様子を示しており、これらの図においてＡ列、Ｂ列、Ｃ列、Ｄ列は電流ルートの推移列を指している。
【００３７】
図４（ａ）は、中継リレーＸ１〜Ｘ５が全てＯＦＦの場合を示しており、この場合の電流ルートは破線で示すようにＡ列に沿って構成され、Ｂ列以降に切り換られることはない。図４（ｂ）では、中継リレーＸ１のみがＯＮとなった場合を示しており、この場合には中継リレーＸ１に配設された切換接点１８により、電流ルートがＡ列からＢ列に切り換えられる。
【００３８】
そして、図４（ｃ）では、図４（ｂ）の状態から、さらに中継リレーＸ２がＯＮする場合の回路状態が示されており、中継リレーＸ２に配設された切換接点１８により電流ルートがＢ列からＣ列に切り換えられる。図４（ｄ）では、図４（ｃ）の状態から、さらに中継リレーＸ３がＯＮする場合の回路状態が示されており、この場合にはさらに中継リレーＸ３が備える切換接点１８により電流ルートがＣ列からＤ列に切り換られる。
【００３９】
ここで、図４の回路例では、５個の接点入力に対し３個のＯＮとなる接点数を検出する場合を示しているため、３個の中継リレー１７がＯＮとなるように出力端子２０がＤ列に接続されている。つまり、電流ルートがＤ列に切り換えられることにより、この状態でＡ列に接続された出力端子１９と、当該出力端子２０間はＯＮすることになる。
【００４０】
一方、図４（ｄ）の状態からさらに中継リレーＸ４がＯＮする場合は、中継リレーＸ４の切換接点１８により電流ルートがＤ列から切り換わるため、出力端子１９、２０間はＯＮ状態から再びＯＦＦとなる。
【００４１】
なお、図４（ａ）〜（ｄ）の通り、中継リレーＸ１、Ｘ２、Ｘ３がＯＮとなる動作を説明したが、ＯＮとなる組合せは上記に限定するものではなく、例えば、Ｘ１、Ｘ２、Ｘ４がＯＮとなるのような、５個の中継リレー１７のうちいずれか３個がＯＮする条件でも出力端子１９、２０間はＯＮされる。
【００４２】
さらに、上記では接点入力が５個で、そのうち３個の接点数がＯＮされる場合に出力端子がＯＮする回路の動作例を示したが、この接点入力数及びＯＮとなる接点数に限定するものではない。つまり、Ｍ個の接点入力のうち、Ｎ個がＯＮとなる場合を検出する所定の条件判別回路においても、同様に、電流ルートが各中継リレー１７に配設された切換接点１８にて右方に切り換えられ、最も右側の切換接点１８の推移列まで切り換えられると、出力端子はＯＮされる。
【００４３】
［１．３．効果］
以上のような第１の実施形態によれば、Ｍ個の接点入力のうち、ＯＮとなる切換接点が特定値であるＮ個となる場合に、出力端子をＯＮするよう動作する条件判別回路において、Ｍ段・Ｎ＋１列の切換接点群から上記［数２］に基づき算出された所定個数の切換接点を排除して当該回路を構成することにより、従来の方式と比較して格段に少ない接点数で信頼性の高い条件判別回路を提供することができる。
【００４４】
具体的には、例えば図３の通り、接点入力が５個あるうちの３個の接点数がＯＮとなる条件を検出する場合にあっては、必要な接点数は従来技術では５０個であるのに対し、本実施形態では１１個となり、接点数は格段に減少するため安価な条件判別回路が提供可能となる。
【００４５】
［２．第２の実施形態］
［２．１．構成］
次に、第２の実施形態に係る変電機器用制御盤内に搭載する条件判別回路の構成について、図５を参照して以下に説明する。また、図１及び４において示した第１の実施形態と同一の構成部材に関しては同一符号を付し、説明を省略する。なお、第２の実施形態は、複数あるＭ個の接点入力のうちＯＮとなる接点数が特定値であるＮ個以上になる場合に、出力端子をＯＮとする条件判別回路に関するものである。
【００４６】
第２の実施形態では、第１の実施形態に示す条件判別回路において、出力端子２０を切換接点１８が配設された最も右側の電流ルートの推移列に接続するだけでなく、その列に配設された切換接点１８のａ接点にも接続し、最も右側の列からさらに右側に推移しようとする場合にも電流が出力端子２０に送られるよう構成されている。
【００４７】
例えば、図５のように、ＯＮ状態となると切換接点１８は、電流ルートを右方に推移させるため、最も右側に位置するＤ列に配設された中継リレーＸ４とＸ５の切換接点１８のｂ接点だけでなく、ａ接点に対しても出力端子２０を接続させている。一方、前記第１の実施形態の場合では、出力端子２０は、Ｄ列に配設された切換接点１８のｂ接点のみに接続されている。なお、それ以外の構成は第１の実施形態と同様である。
【００４８】
また、図５は図１に対応させ、５個の接点入力のうち３個のＯＮとなる切換接点１８を検出する回路例を示しているが、第２の実施形態では第１の実施形態と同様に、この接点入力数及びＯＮとなる接点数に限定するものではない。
【００４９】
［２．２．作用］
次に、以上の構成を有する第２の実施形態に係る作用を説明する。なお、図５の回路例に照らし合わせ、接点入力が５個で、そのうち３個以上の切換接点がＯＮとなる場合に出力端子１９、２０間をＯＮとする動作態様を説明する。
【００５０】
まず、中継リレーＸ１〜Ｘ３がＯＮする回路動作は、第１の実施形態の場合と同様であり、中継リレーＸ１、Ｘ２、Ｘ３に配設された切換接点１８により電流ルートがＡ列から順にＤ列まで切り換えられる。そして、第１の実施形態と同様に、Ｄ列に接続された出力端子２０を通じて、出力端子１９、２０間はＯＮされる。
【００５１】
さらに、ＯＮとなる接点数が４個目以降となる中継リレーＸ４、Ｘ５において、いずれか又は双方がＯＮとなる場合には、Ｄ列に配設された切換接点１８により電流ルートがＤ列から切り換えられるが、当該切換接点１８のａ接点に出力端子２０が接続されていることから、電流は出力端子２０に送られ、出力端子１９、２０間はＯＮとなる。
【００５２】
なお、図５の通り、中継リレーＸ１、Ｘ２、Ｘ３に加え、Ｘ４、Ｘ５のいずれか又は双方がＯＮとなる動作を説明したが、ＯＮとなる組合せは上記に限定するものではなく、例えば、中継リレーＸ２、Ｘ３、Ｘ４、Ｘ５がＯＮとなるのような、５個の中継リレー１７のうちいずれか３個以上がＯＮすることで出力端子１９、２０間はＯＮされる。
【００５３】
［２．３．効果］
以上のような第２の実施形態によれば、第１の実施形態と同様の個数の切換接点を組み合わせることで条件判別回路を構成し、ＯＮとなる中継リレーの個数、すなわち切換接点にてＯＮに切り換わる回数が特定値以上になった場合に出力端子をＯＮするよう動作させることで、第１の実施形態と比較してより広範囲の接点入力信号に応用可能となり、従来方式と比較して格段に少ない接点数で信頼性の高い条件判別回路を提供することができる。
【００５４】
［３．第３の実施形態］
［３．１．構成］
次に、第３の実施形態に係る変電機器用制御盤内に搭載する条件判別回路の構成について、図６を参照して以下に説明する。また、図１、４及び５において示した第１及び２の実施形態と同一の構成部材に関しては同一符号を付し、説明は省略する。なお、第３の実施形態では、複数あるＭ個の接点入力のうちＯＮとなる接点数が複数の特定値になる場合に出力端子をＯＮとする条件判別回路に関するものである。
【００５５】
第３の実施形態は、出力端子１９、２０間をＯＮとするために、ＯＮとなる接点数である特定値を複数とするので、所望の各特定値をＡとした場合に、それぞれに対してＡ＋１列目の推移列に出力端子２０を接続させている点に特徴を有する。
【００５６】
なお、第３の実施形態においても第１及び２の実施形態と同様に、中継リレー１７に複数の切換接点１８が組み合わされて配設されるが、当該切換接点１８の個数は、当該第１及び２の実施形態と相違する。具体的には、中継リレー１７の個数に対応する接点入力がＭ個あり、所望のＯＮとなる複数の接点数のうち最大の値をＮ個、最小の値をＮ´個とした場合に、条件判別回路に必要な切換接点１８数は下記のように表される。
【００５７】
切換接点１８を、中継リレー１７の接点入力数に応じてＭ個直列に、ＯＮとなる接点数のうち最大値であるＮ個に対応させたＮ＋１個並列に接続することにより、Ｍ段・Ｎ＋１列のマトリックス上の切換接点群を形成し、この切換接点群から下記の関係式に基づいて算出された不要な切換接点１８を排除することで、条件判別回路に必要な切換接点１８を算出する。このＭ段・Ｎ＋１列の切換接点群から排除する切換接点１８を示す関係式は、電流ルートの推移列であるｎ列目に対して、以下のように表すことができる。
【００５８】
［数３］
Ｍ＋１−（Ｎ´−ｎ）段目以上の段に属する切換接点  ∧  ｎ−１段目以下の段に属する切換接点
ここで、１≦ｎ≦Ｎ＋１
１≦Ｍ
０≦Ｎ
【００５９】
なお、上記［数３］より示される排除すべき切換接点１８は、ｎ列目に対するものであるため、１列目からＮ＋１列目までの排除すべき接点総数は、ｎに１〜Ｎ＋１を代入することで算出した各列毎の接点数の総和により表すことができる。
【００６０】
ここで、例えば、５個の中継リレー対応する接点入力が５個、ＯＮとなる複数の特定値である接点数が１、２、３個のときに、必要な切換接点１８を算出する場合には、まず、上記［数３］に、Ｍ＝５、ｎ＝１〜４を代入し、さらに、複数の特定値のうち最大の接点数であるＮ＝３、最小の接点数であるＮ´＝１を代入することで、１〜４列毎の排除すべき接点数を算出する。そして、算出した接点数を各列に対応させ、５段・４列で２０個の接点数を有する切換接点群から排除することで、図６のような、条件判別回路を構成する。
【００６１】
具体的には、１列目を例にとると、５段それぞれに配設された総数５個の切換接点１８のうちから、上記［数３］に基づき算出した６段目以上の切換接点（Ｍ＋１−（Ｎ´−ｎ）にＭ＝５、Ｎ´＝１、ｎ＝１を代入）と、０段目以下の切換接点（ｎ−１にｎ＝１を代入）を、排除することにより、１〜５段目にそれぞれ配設される総数５個の切換接点を導き出すことができる。なお、この条件下における電流ルートが１列目の場合は、５個の切換接点１８うちから排除される接点は存在しない。
【００６２】
２〜４列目に配設される切換接点１８も上記と同様に算出すると、２列目では２〜５段目の４個、３列目では３〜５段目の３個、４列目では４、５段目の２個の切換接点１８が導き出せる。つまり、接点入力が５個、そのうちＯＮとなる１、２、３個の３種類の特定値を検出する条件判別回路には、総数１４個（１〜４列目の各切換接点数の和）の切換接点１８が図６のような配置に基づき設けられることになる。
【００６３】
そして、複数の特定値である１、２、３個のそれぞれに対して＋１した、２、３、４列目の電流ルートの推移列に出力端子２０を接続させている。具体的には、電流ルートのＢ、Ｃ、Ｄ列に出力端子２０が接続されている。
【００６４】
［３．２．作用］
次に、以上の構成を有する第３の実施形態に係る作用を説明する。なお、図６の回路例に照らし合わせ、接点入力が５個のうち１、２、３個のいずれかの接点がＯＮとなる場合に出力端子１９、２０間をＯＮする動作態様を説明する。
【００６５】
例えば、中継リレーＸ１のみがＯＮとなった場合には、中継リレーＸ１に配設された切換接点１８により、電流ルートがＡ列からＢ列に切り換えられ、Ｂ列に接続された出力端子２０に出力が送られることにより出力端子１９、２０間はＯＮとなる。また、中継リレーＸ１だけでなく、他の中継リレーＸ２〜Ｘ５のうち、１又は２個がＯＮ状態となる場合に、Ｃ、Ｄ列に接続された出力端子２０に電流が送られ、出力端子１９、２０間はＯＮとなる。
【００６６】
具体的には、中継リレーＸ２がＯＮとなった場合には、切換接点１８を通じて電流ルートがＢ列からＣ列に切り換えられると、Ｃ列に接続された出力端子２０に電流が送られ、出力端子１９、２０間はＯＮとなる。さらに、中継リレーＸ１及びＸ２だけでなく、中継リレーＸ３がＯＮとなる場合にも、切換接点１８を通じて電流ルートがＣ列からＤ列に切り換えられると、Ｄ列に接続された出力端子２０に電流が送られ、出力端子１９、２０間はＯＮとなる。
【００６７】
そして、中継リレーＸ４とＸ５のいずれか又は双方がＯＮとなる場合には、電流ルートが中継リレーＸ４、Ｘ５に配設された切換接点１８を通じてＤ列から外れるため、出力端子１９、２０間はＯＦＦされる。
【００６８】
なお、上記では、中継リレーＸ１、Ｘ２、Ｘ３がＯＮとなる動作例を説明しているが、ＯＮとなる中継リレーはこれに限定するものではなく、中継リレーＸ１〜Ｘ５の５個の接点入力のうち１、２、３個のいずれかの接点がＯＮとなれば出力端子間１９、２０間はＯＮされる。さらに、本実施形態では、接点入力数や出力端子１９、２０がＯＮとなる特定値である接点数は、上記に限定するものではなく、ＯＮとなる特定値が接点入力数以下であれば、上記条件に基づいて、出力端子２０の接続箇所を変更することにより対応可能である。
【００６９】
［３．３．効果］
以上のような第３の実施形態によれば、Ｍ個の接点入力のうち、ＯＮとなる切換接点が複数ある特定値（最大がＮ、最小がＮ´）となる場合に、出力端子をＯＮするよう動作させることができるのため、特定範囲の接点入力を判別可能な条件判別回路を簡単に実現することができる。さらに、このような条件判別回路は、Ｍ段・Ｎ＋１列の切換接点群から上記［数３］に基づき算出された所定個数の切換接点を排除して構成されることにより、従来の方式と比較して接点数を格段に削減し、安価で信頼性の高い回路を提供することができる。
【００７０】
具体的には、上述した通り、例えば、接点入力が５個あるうちの１、２、３個の接点数がＯＮとなる条件を検出する場合にあっては、必要な接点数は従来技術では５０個（ＯＮとなる接点数が３個の場合）であるのに対し、本実施形態では１４個となり、接点数は格段に減少するため安価な条件判別回路が提供可能となる。
【００７１】
［４．第４の実施形態］
［４．１．構成］
次に、第４の実施形態に係る変電機器用制御盤内に搭載する条件判別回路の構成について、図７を参照して以下に説明する。また、図１、４〜６において示した第１〜３の実施形態と同一の構成部材に関しては同一符号を付し、説明は省略する。なお、第４の実施形態では、複数あるＭ個の接点入力のうちＯＮとなる接点数が特定値以下になるときに出力端子をＯＮとする条件判別回路に関するものである。
【００７２】
第４の実施形態では、ＯＮとなる接点数が特定値以下である場合に出力端子１９、２０間をＯＮとするので、特定値をＮとした場合に、Ｎ＋１以下の電流ルートの推移列それぞれに出力端子２０を接続する点を特徴としている。なお、特定値Ｎ以下とは、０〜Ｎ個までのＮ＋１種の電流ルートが考えられるため、Ｎ＋１以下の推移列に出力端子２０が接続される。
【００７３】
また、第４の実施形態においても第１〜３の実施形態と同様に、中継リレー１７に複数の切換接点１８が組み合わされて配設されるが、当該切換接点１８の個数は、当該第１〜３の実施形態と相違する。具体的には、中継リレー１７の個数に対応する接点入力がＭ個あり、ＯＮとなる接点数がＮ個以下の場合に、条件判別回路に必要な切換接点１８数は下記のように表される。
【００７４】
切換接点１８を中継リレー１７の接点入力数に応じてＭ個直列に、ＯＮとなる判別接点数に応じてＮ＋１個並列に接続することにより、Ｍ段・Ｎ＋１列のマトリックス上の切換接点群を形成し、この切換接点群から下記の関係式に基づいて算出された不要な切換接点１８を排除することで、条件判別回路に必要な切換接点１８を算出する。このＭ段・Ｎ＋１列の切換接点群から排除する切換接点１８を示す関係式は、電流ルートの推移列であるｎ列目に対して、以下のように表すことができる。
【００７５】
［数４］
ｎ−１段目以下の段に属する切換接点
ここで、１≦ｎ≦Ｎ＋１
０≦Ｎ
【００７６】
なお、上記［数４］より示される排除すべき切換接点１８は、ｎ列目に対するものであるため、１列目からＮ＋１列目までの排除すべき接点総数は、ｎに１〜Ｎ＋１を代入することで算出した各列毎の接点数の総和により表すことができる。
【００７７】
ここで、例えば、５個の中継リレーに対応する接点入力が５個、ＯＮとなる特定値が３個以下のときに、必要な切換接点１８を算出する場合には、まず、上記［数４］に、ｎ＝１〜４を代入することで、１〜４列毎の排除すべき接点数を算出する。そして、算出した接点数を各列に対応させ、５段・４列で２０個の接点数を有する切換接点群から排除することで、図７のような、条件判別回路を構成する。
【００７８】
具体的には、１列目を例にとると、５段それぞれに配設された総数５個の切換接点１８のうちから、上記［数４］に基づき算出した０段目以下の切換接点（ｎ−１にｎ＝１を代入）を排除することにより、１〜５段目にそれぞれ配設される総数５個の切換接点を導き出すことができる。なお、この条件下における電流ルートが１列目の場合は、５個の切換接点１８うちから排除される接点は存在しない。
【００７９】
２〜４列目に配設される切換接点１８も上記と同様に算出すると、２列目では２〜５段目の４個、３列目では３〜５段目の３個、４列目では４、５段目の２個の切換接点１８が導き出せる。つまり、接点入力が５個、そのうちＯＮとなる特定値が３個以下である場合を検出する条件判別回路には、総数１４個（１〜４列目の各切換接点数の和）の切換接点１８が図７のような配置に基づき設けられることになる。
【００８０】
そして、出力端子間１９、２０間がＯＮする特定値は３個以下であるので、４列目以下の電流ルートの推移列にそれぞれ出力端子２０を接続させている。具体的には、電流ルートのＡ、Ｂ、Ｃ、Ｄ列に出力端子２０が接続されている。
【００８１】
［４．２．作用］
次に、以上の構成を有する第４の実施形態に係る作用を説明する。なお、図７の回路例に照らし合わせ、接点入力が５個のうちＯＮとなる接点数が３個以下の場合に出力端子１９、２０間をＯＮする動作態様を説明する。
【００８２】
中継リレーＸ１〜Ｘ５が全てＯＦＦの場合には、電流ルートはＡ列に沿って構成され、Ａ列に接続された出力端子２０に電流が送られ、出力端子１９、２０間はＯＮとなる。また、中継リレーＸ１〜Ｘ５のうち、１〜３個のいずれかをＯＮする場合には、各中継リレー１７に配設された切換接点１８により電流ルートがＡ列からＢ、Ｃ、Ｄ列に切り換えられ、電流が出力端子２０に送られることで出力端子１９、２０間はＯＮとなる。
【００８３】
［４．３．効果］
以上のような第４の実施形態によれば、Ｍ個の接点入力のうち、ＯＮとなる切換接点が特定値であるＮ個以下となる場合に、出力端子をＯＮするよう動作させることができるため、特定値以下の所定の接点入力範囲において判別可能な条件判別回路を簡単に実現することができる。さらに、このような条件判別回路は、Ｍ段・Ｎ＋１列の切換接点群から上記［数４］に基づき算出された所定個数の切換接点を排除して構成されることにより、従来の方式と比較して接点数を格段に削減し、安価で信頼性の高い回路を提供することができる。
【００８４】
具体的には、上述した通り、例えば、接点入力が５個あるうちの３個以下の接点数がＯＮとなる条件を検出する場合にあっては、必要な接点数は従来技術では５０個（ＯＮとなる接点数が３個の場合）であるのに対し、本実施形態では１４個となり、接点数は格段に減少するため安価な条件判別回路が提供可能となる。
【００８５】
［５．第５の実施形態］
［５．１．構成］
次に、第５の実施形態に係る変電機器用制御盤内に搭載する条件判別回路の構成について、図８を参照して以下に説明する。また、図１、４〜７において示した第１〜３の実施形態と同一の構成部材に関しては同一符号を付し、説明は省略する。なお、第５の実施形態では、切換接点１８により切り換えられる電流ルートの各推移列に対してそれぞれ出力端子が接続される点を特徴とする。
【００８６】
また、第５の実施形態では、中継リレー１７に複数の切換接点１８が組み合わされて配設されるが、当該切換接点１８の個数及び配置構成は、第４の実施形態と同じである。つまり、Ｍ段・Ｎ＋１列の切換接点群から上記［数４］に基づいて算出した接点数を排除することにより導き出す切換接点１８の個数を電流ルートである推移列毎に採用している。
【００８７】
ここで、Ｎ＋１列あるそれぞれの電流ルートに対してそれぞれ出力端子が接続され、さらに、最も右側の電流ルートであるＮ＋１列目に配設された各切換接点１８のａ接点にも出力端子が接続される。これにより、接点入力Ｍ個のうち、Ｎ個までのＯＮとなるいずれかの接点数だけでなくＮ個より大きい接点数であっても、各推移列に対応する出力端子に電流が送られることで、複数設けられた出力端子を任意に組み合わせ使用することが可能である。
【００８８】
例えば、図８の回路例では、中継リレーＸ１〜Ｘ５による５個の接点入力がある場合に、図７と同様の切換接点１８が各中継リレー１７に配置された条件判別回路において、中継リレーＸ１〜Ｘ５が構成する電流ルートのＡ〜Ｄ列に対して、それぞれ出力端子２２〜２５が接続されている。さらに、図８の通り、Ｄ列に配設された中継リレーＸ４とＸ５の切換接点１８のａ接点には、出力端子２１が接続され、中継リレーＸ４とＸ５に配設されたこの切換接点１８のいずれか又は双方がＯＮに切り換えられることで、電流ルートが当該Ｄ列を外れる場合でも電流が出力端子２１に送られるよう構成されている。
【００８９】
［５．２．作用］
次に、以上の構成を有する第５の実施形態に係る作用を説明する。特に、本実施形態では、図８の回路例に照らし合わせ、Ａ〜Ｄ列の各電流ルート、さらにはＤ列からＯＮに切り換えられ場合の電流ルート、に接続された出力端子２１〜２５と、中継リレーＸ１の切換接点１８に接続された出力端子１９間で出力される動作態様を説明する。
【００９０】
なお、第５の実施形態では、電流ルートの各推移列に出力端子２１〜２５が接続されているため、実際にＯＮする出力端子を出力端子２１〜２５から個別に選択したり、組み合わせて使用することができる。
【００９１】
例えば、出力端子２４と２５を選択し、当該端子からの出力を組み合わせて使用する場合では、まず、中継リレーＸ１〜Ｘ５が全てＯＦＦのとき、電流ルートはＡ列に沿って構成され、Ａ列に接続された出力端子２５に電流が送られる。さらに、中継リレーＸ１がＯＮすると、当該中継リレーＸ１に配設された切換接点１８で電流ルートがＡ列からＢ列に切り換えられ、それ以外の中継リレーＸ２〜Ｘ５がＯＦＦである場合には、Ｂ列を通じて出力端子２４に電流が送られる。そして、出力端子１９と電流が送られる各出力端子２５２４間とにおける出力が組み合わされ、出力される。
【００９２】
［５．３．効果］
以上のような第５の実施形態によれば、切換接点を通じて切り換えられる電流ルートの各推移列に対して、それぞれ出力端子が接続されていることにより、複数設けられた出力端子を組み合わせて使用することが可能となり、また、同一の回路内において判別回路の条件を任意に選択できると共に、将来の設定値変更にも柔軟に対応可能な条件判別回路を提供することができる。
【００９３】
［６．第６の実施形態］
［６．１．構成］
次に、第６の実施形態に係る変電機器制御盤内に搭載する条件判別回路の構成について、図９を参照して以下に説明する。第６の実施形態は、運転状態にある主変圧器や発電機の所定個数を条件として遮断器の投入操作をブロックする制御回路に、所定個数の切換接点３０を組み合わせて構成した上記第１〜５に係る条件判別回路を適用したものである。
【００９４】
なお、本実施形態では、一例として、４台の主変圧器と８台の発電機を備え、４台の主変圧器のうち３台が運転中で、かつ８台の発電機のうち３台以上が運転中の場合に、遮断器の投入操作をブロックする回路を示している。
【００９５】
図９の通り、４台の主変圧器の運転状態を検出する主変圧器状態接点２６が、それぞれＸ１〜Ｘ４で示される中継リレー２７に接続されている。また、８台の発電機の運転状態を検出する発電機状態接点２８が、それぞれＹ１〜Ｙ８で示される８個の中継リレー２９に接続されている。
【００９６】
ここで、中継リレー２７であるＸ１〜Ｘ４は、第１の実施形態において、図２及び３で示した、接点入力がＭ＝４でＯＮとなる判別接点数がＮ＝３の場合の切換接点３０の配置構成及び接点数を有している。
【００９７】
また、中継リレー２９であるＹ１〜Ｙ８は、第２の実施形態において、Ｍ＝８、Ｎ＝３の場合の切換接点３０の配置構成と同様であり、最も右側に位置する電流ルートの推移列に配設された中継リレーＸ４〜Ｘ８の切換接点３０に出力端子を接続させている。さらに、出力端子を、その最も右側の列に配設された切換接点１８のａ接点にも接続し、最も右側の列からさらに右側に推移しようとする場合にも電流が出力端子に送られるよう構成されている。
【００９８】
なお、Ｙ１〜Ｙ８の中継リレー２９では、接点入力が８個で、そのうち３個以上の判別接点数がＯＮとなる場合に出力がＯＮされるので、８段・４列の切換接点群から上記［数２］に基づき算出された接点数を排除することにより、１列目に１〜６段の６個、２列目に２〜７段の６個、３列目に３〜８段の６個、４列目に４〜８段の５個の切換接点３０が配設されている。
【００９９】
また、図９の通り、Ｙ１〜Ｙ８の中継リレー２９の出力が、Ｘ１〜Ｘ４の中継リレー２７に投入されるよう構成されている。つまり、本実施形態における条件判別回路は、２３個の切換接点３０が配設されたＹ１〜Ｙ８の中継リレー２９と、７個の切換接点３０が配設されたＸ１〜Ｘ４の中継リレー２７を組み合わせた１２個の中継リレーから構成されており、その出力は中継リレー３１に接続されている。さらに、この中継リレー３１のｂ接点３２は、遮断器の投入制御回路３３に対して直列に接続されている。
【０１００】
［６．２．作用］
次に、以上の構成を有する第６の実施形態に係る作用を説明する。本実施形態は、図９の回路例に照らし合わせ、中継リレーＹ１〜Ｙ８のうち３個以上がＯＮで、さらに中継リレーＸ１〜Ｘ４のうち３個がＯＮとなる場合の動作態様に関するものである。
【０１０１】
まず、第６の実施形態においては、中継リレーＹ１〜Ｙ８のうち３個以上がＯＮで、さらに中継リレーＸ１〜Ｘ４のうち３個がＯＮの場合にのみ、中継リレー３１に出力が送られ、当該中継リレー３１がＯＮに切り換わる。
【０１０２】
具体的には、中継リレーＹ１〜Ｙ８のうち３個以上がＯＮとなることで、各中継リレー２９に配設された切換接点３０を通じて電流ルートがＡ列から順にＤ列、あるいはＤ列を越える推移例に切り換えられ、中継リレーＹ１〜Ｙ８からの出力がＸ１〜Ｘ４の中継リレー２７に送られる。そして、中継リレーＸ１〜Ｘ４のうち３個がＯＮとなることで、各中継リレー２７に配設された切換接点３０を通じて電流ルートがＡ´列から順にＤ´列まで切り換えられ、中継リレーＸ１〜Ｘ４からの出力が中継リレー３１に送られる。
【０１０３】
以上のように、ｂ接点３２を備えた中継リレー３１に中継リレー２７、２９からの出力を送ることで、当該中継リレー３１はＯＮに切り換えられ、ｂ接点３２はＯＦＦとなる。そのため、ｂ接点３２に直列接続された遮断器の投入制御回路３３には、電源が供給されなくなり、遮断器の投入操作はブロックされる。
【０１０４】
［６．３．効果］
以上のような第６の実施形態によれば、遮断器の投入操作をブロックする制御回路に第１〜５の実施形態に係る条件判別回路を組み合わせて適用することができるので、安価で信頼性の高い遮断器の投入操作をブロックする制御回路を簡単に実現することが可能となる。
【図面の簡単な説明】
【０１０５】
【図１】本発明の第１の実施形態に係る条件判別回路図
【図２】本発明の第１の実施形態に係り、接点入力Ｍが１〜７個、ＯＮとなる接点数Ｎが１〜７個の条件下で算出された切換接点１８の配置例を示す図接点入力、ＯＮとなる接点数
【図３】本発明の第１の実施形態に係り、図２の切換接点１８の配置構成を有する条件判別回路において、接点入力Ｍが１〜７個、ＯＮとなる接点数Ｎが１〜７個の条件下で算出された必要な切換接点総数を従来技術と比較し提示した図
【図４】本発明の第１の実施形態に係る条件判別回路の動作例を示す回路図
【図５】本発明の第２の実施形態に係る条件判別回路図
【図６】本発明の第３の実施形態に係る条件判別回路図
【図７】本発明の第４の実施形態に係る条件判別回路図
【図８】本発明の第５の実施形態に係る条件判別回路図
【図９】本発明の第６の実施形態に係る条件判別回路図
【図１０】変電機器の１つであるＧＩＳの一例を示す単線結線図
【図１１】従来の条件判別回路図
【符号の説明】
【０１０６】
１・・・制御盤
２・・・遮断器
３・・・断路器
４・・・接地開閉器
１１・・・機器状態接点
１２、１７、２７、２９、３１・・・中継リレー
１３・・・ａ接点
１４・・・ｂ接点
１５、１６、１９〜２５・・・出力端子
１８、３０・・・切換接点
２６・・・主変圧器状態接点
２８・・・発電機状態接点
３２・・・中継リレー３１のｂ接点
３３・・・投入制御回路
【図１】
0004991470.tif 000002
【図２】
0004991470.tif 000003
【図３】
0004991470.tif 000004
【図４】
0004991470.tif 000005
【図５】
0004991470.tif 000006
【図６】
0004991470.tif 000007
【図７】
0004991470.tif 000008
【図８】
0004991470.tif 000009
【図９】
0004991470.tif 000010
【図１０】
0004991470.tif 000011
【図１１】
0004991470.tif 000012